(57)【特許請求の範囲】
【請求項１】
情報を受信して格納する情報格納装置及びこの情報格納装置とネットワークを介して接続しているサーバ装置を要素とする情報格納システムであって、
前記情報格納装置が、
情報を受信する受信部と、
前記受信部で受信した情報を格納する情報格納部と、
前記受信部で受信した情報を識別する情報識別子を生成する情報識別子生成部と、
前記情報格納部とは分離しかつ前記情報識別子生成部で生成した情報識別子を格納する情報識別子格納部と、
前記情報格納部に格納していた情報が読み取り不能となった場合、または前記情報格納部への情報の格納に失敗した場合に該当の情報に係る情報識別子を前記情報識別子格納部より読み出して前記サーバ装置に向けて送信する送信部と、
前記送信部で情報識別子を送信した後に前記サーバ装置よりもたらされる情報を受信する第二受信部と、
前記第二受信部で受信した情報を格納する第二格納部とを具備し、
前記サーバ装置が、
前記情報格納装置よりもたらされる情報識別子を受け付ける受付部と、
前記受付部で受け付けた情報識別子を基に識別される情報を取得する情報取得部と、
前記情報取得部で取得した情報を前記情報格納装置に向けて送信する送信部とを具備している
ことを特徴とする情報格納システム。
【請求項２】
情報を受信して格納する情報格納装置及びこの情報格納装置とネットワークを介して接続しているサーバ装置を要素とする情報格納システムであって、
前記情報格納装置が、
情報及びこの情報を識別する情報識別子を受信する受信部と、
前記受信部で受信した情報を格納する情報格納部と、
前記情報格納部とは分離しかつ前記受信部で受信した情報識別子を格納する情報識別子格納部と、
前記情報格納部に格納していた情報が読み取り不能となった場合、または前記情報格納部への情報の格納に失敗した場合に、該当の情報に係る情報識別子を前記情報識別子格納部より読み出して前記サーバ装置に向けて送信する送信部と、
前記送信部で情報識別子を送信した後に前記サーバ装置よりもたらされる情報を受信する第二受信部と、
前記第二受信部で受信した情報を格納する第二格納部とを具備し、
前記サーバ装置が、
前記情報格納装置よりもたらされる情報識別子を受け付ける受付部と、
前記受付部で受け付けた情報識別子を基に識別される情報を取得する情報取得部と、
前記情報取得部で取得した情報を前記情報格納装置に向けて送信する送信部とを具備している
ことを特徴とする情報格納システム。
【請求項３】
前記情報格納装置は、
前記受信部で受信した情報が前記情報格納部に格納されたか否かを識別する格納識別子を生成する格納識別子生成部をさらに具備し、
前記情報識別子格納部において、前記情報識別子と前記格納識別子とをともに格納し、
前記送信部において、前記情報識別子と前記格納識別子とをともに読み出して前記サーバ装置に向けて送信するものであり、
前記サーバ装置は、
前記受付部において、前記情報識別子と前記格納識別子とをともに受け付け、
前記情報取得部において、前記情報識別子を基に識別される情報が前記情報格納部に格納されていた情報であるかどうかを前記格納識別子を参照して判断した上で、該当の情報を取得し、
前記送信部において、前記情報取得部で取得した情報を前記情報格納装置に向けて送信するものである
ことを特徴とする請求項１又は請求項２記載の情報格納システム。
【請求項４】
情報を受信して格納する情報格納装置及びこの情報格納装置とネットワークを介して接続しているサーバ装置を要素とする情報格納システムであって、
前記情報格納装置が、
情報を受信する受信手を識別する受信手識別子を保存する管理部と、
情報を受信する受信部と、
前記受信部で受信した情報を格納する情報格納部と、
前記受信部で受信した情報を識別する情報識別子を生成する情報識別子生成部と、
前記情報識別子生成部で生成した情報識別子を前記管理部で保存している受信手識別子とともに前記サーバ装置に向けて予め送信し、なおかつ、前記情報格納部に格納していた情報が読み取り不能となった場合、または前記情報格納部への情報の格納に失敗した場合に前記受信手識別子をサーバ装置に向けて送信する送信部と、
前記送信部で受信手識別子を送信した後に前記サーバ装置よりもたらされる情報を受信する第二受信部と、
前記第二受信部で受信した情報を格納する第二格納部とを具備し、
前記サーバ装置が、
前記情報格納装置より事前にもたらされる情報識別子及び受信手識別子、並びに事後にもたらされる受信手識別子を受け付ける受付部と、
前記受付部で事前に受け付けた情報識別子と受信手識別子とを対応づけて格納する情報識別子格納部と、
前記受付部で事後に受け付けた受信手識別子に対応づけられている情報識別子を前記情報識別子格納部の内容から検索し、検索した情報識別子を基に識別される情報を取得する情報取得部と、
前記情報取得部で取得した情報を前記情報格納装置に向けて送信する送信部とを具備している
ことを特徴とする情報格納システム。
【請求項５】
情報を受信して格納する情報格納装置及びこの情報格納装置とネットワークを介して接続しているサーバ装置を要素とする情報格納システムであって、
前記情報格納装置が、
情報を受信する受信手を識別する受信手識別子を保存する管理部と、
情報及びこの情報を識別する情報識別子を受信する受信部と、
前記受信部で受信した情報を格納する情報格納部と、
前記情報受信部で受信した情報識別子を前記管理部で保存している受信手識別子とともに前記サーバ装置に向けて予め送信し、なおかつ、前記情報格納部に格納していた情報が読み取り不能となった場合、または前記情報格納部への情報の格納に失敗した場合に前記受信手識別子をサーバ装置に向けて送信する送信部と、
前記送信部で受信手識別子を送信した後に前記サーバ装置よりもたらされる情報を受信する第二受信部と、
前記第二受信部で受信した情報を格納する第二格納部とを具備し、
前記サーバ装置が、
前記情報格納装置より事前にもたらされる情報識別子及び受信手識別子、並びに事後にもたらされる受信手識別子を受け付ける受付部と、
前記受付部で事前に受け付けた情報識別子と受信手識別子とを対応づけて格納する情報識別子格納部と、
前記受付部で事後に受け付けた受信手識別子に対応づけられている情報識別子を前記情報識別子格納部の内容から検索し、検索した情報識別子を基に識別される情報を取得する情報取得部と、
前記情報取得部で取得した情報を前記情報格納装置に向けて送信する送信部とを具備している
ことを特徴とする情報格納システム。
【請求項６】
前記情報格納装置は、
前記受信部で受信した情報が前記情報格納部に格納されたか否かを識別する格納識別子を生成する格納識別子生成部をさらに具備し、
前記送信部において、前記情報識別子及び前記格納識別子を前記受信手識別子とともに前記サーバ装置に向けて予め送信するものであり、
前記サーバ装置は、
前記受付部において、事前に前記情報識別子及び前記格納識別子を前記受信手識別子とともに受け付け、
前記情報識別子格納部において、前記情報識別子及び前記格納識別子と前記受信手識別子とを対応づけて格納し、
前記情報取得部において、前記情報識別子を基に識別される情報が前記情報格納部に格納されていた情報であるかどうかを前記格納識別子を参照して判断した上で、該当の情報を取得し、
前記送信部において、前記情報取得部で取得した情報を前記情報格納装置に向けて送信するものである
ことを特徴とする請求項４又は請求項５記載の情報格納システム。
【請求項７】
請求項１又は請求項３記載の情報格納システムを構成するために用いられるものであって、
情報を受信する受信部と、
前記受信部で受信した情報を格納する情報格納部と、
前記受信部で受信した情報を識別する情報識別子を生成する情報識別子生成部と、
前記情報格納部とは分離しかつ前記情報識別子生成部で生成した情報識別子を格納する情報識別子格納部と、
前記情報格納部に格納していた情報が読み取り不能となった場合、または前記情報格納部への情報の格納に失敗した場合に該当の情報に係る情報識別子を前記情報識別子格納部より読み出して前記サーバ装置に向けて送信する送信部と、
前記送信部で情報識別子を送信した後に前記サーバ装置よりもたらされる情報を受信する第二受信部と、
前記第二受信部で受信した情報を格納する第二格納部と
を具備する情報格納装置。
【請求項８】
請求項２又は請求項３記載の情報格納システムを構成するために用いられるものであって、
情報及びこの情報を識別する情報識別子を受信する受信部と、
前記受信部で受信した情報を格納する情報格納部と、
前記情報格納部とは分離しかつ前記受信部で受信した情報識別子を格納する情報識別子格納部と、
前記情報格納部に格納していた情報が読み取り不能となった場合、または前記情報格納部への情報の格納に失敗した場合に、該当の情報に係る情報識別子を前記情報識別子格納部より読み出して前記サーバ装置に向けて送信する送信部と、
前記送信部で情報識別子を送信した後に前記サーバ装置よりもたらされる情報を受信する第二受信部と、
前記第二受信部で受信した情報を格納する第二格納部と
を具備する情報格納装置。
【請求項９】
前記受信部で受信した情報が前記情報格納部に格納されたか否かを識別する格納識別子を生成する格納識別子生成部をさらに具備し、
前記情報識別子格納部において、前記情報識別子と前記格納識別子とをともに格納し、
前記送信部において、前記情報識別子と前記格納識別子とをともに読み出して前記サーバ装置に向けて送信する請求項７又は請求項８記載の情報格納装置。
【請求項１０】
請求項４又は請求項６記載の情報格納システムを構成するために用いられるものであって、
情報を受信する受信手を識別する受信手識別子を保存する管理部と、
情報を受信する受信部と、
前記受信部で受信した情報を格納する情報格納部と、
前記受信部で受信した情報を識別する情報識別子を生成する情報識別子生成部と、
前記情報識別子生成部で生成した情報識別子を前記管理部で保存している受信手識別子とともに前記サーバ装置に向けて予め送信し、なおかつ、前記情報格納部に格納していた情報が読み取り不能となった場合、または前記情報格納部への情報の格納に失敗した場合に前記受信手識別子をサーバ装置に向けて送信する送信部と、
前記送信部で受信手識別子を送信した後に前記サーバ装置よりもたらされる情報を受信する第二受信部と、
前記第二受信部で受信した情報を格納する第二格納部と
を具備する情報格納装置。
【請求項１１】
請求項５又は請求項６記載の情報格納システムを構成するために用いられるものであって、
情報を受信する受信手を識別する受信手識別子を保存する管理部と、
情報及びこの情報を識別する情報識別子を受信する受信部と、
前記受信部で受信した情報を格納する情報格納部と、
前記情報受信部で受信した情報識別子を前記管理部で保存している受信手識別子とともに前記サーバ装置に向けて予め送信し、なおかつ、前記情報格納部に格納していた情報が読み取り不能となった場合、または前記情報格納部への情報の格納に失敗した場合に前記受信手識別子をサーバ装置に向けて送信する送信部と、
前記送信部で受信手識別子を送信した後に前記サーバ装置よりもたらされる情報を受信する第二受信部と、
前記第二受信部で受信した情報を格納する第二格納部と
を具備する情報格納装置。
【請求項１２】
前記受信部で受信した情報が前記情報格納部に格納されたか否かを識別する格納識別子を生成する格納識別子生成部をさらに具備し、
前記送信部において、前記情報識別子及び前記格納識別子を前記受信手識別子とともに前記サーバ装置に向けて予め送信する請求項１０又は請求項１１記載の情報格納装置。
【請求項１３】
請求項１又は請求項３記載の情報格納システムを構成するために用いられるものであって、コンピュータを、
情報を受信する受信部、
前記受信部で受信した情報を格納する情報格納部、
前記受信部で受信した情報を識別する情報識別子を生成する情報識別子生成部、
前記情報格納部とは分離しかつ前記情報識別子生成部で生成した情報識別子を格納する情報識別子格納部、
前記情報格納部に格納していた情報が読み取り不能となった場合、または前記情報格納部への情報の格納に失敗した場合に該当の情報に係る情報識別子を前記情報識別子格納部より読み出して前記サーバ装置に向けて送信する送信部、
前記送信部で情報識別子を送信した後に前記サーバ装置よりもたらされる情報を受信する第二受信部、並びに、
前記第二受信部で受信した情報を格納する第二格納部
として機能させるプログラム。
【請求項１４】
請求項２又は請求項３記載の情報格納システムを構成するために用いられるものであって、コンピュータを、
情報及びこの情報を識別する情報識別子を受信する受信部、
前記受信部で受信した情報を格納する情報格納部、
前記情報格納部とは分離しかつ前記受信部で受信した情報識別子を格納する情報識別子格納部、
前記情報格納部に格納していた情報が読み取り不能となった場合、または前記情報格納部への情報の格納に失敗した場合に、該当の情報に係る情報識別子を前記情報識別子格納部より読み出して前記サーバ装置に向けて送信する送信部、
前記送信部で情報識別子を送信した後に前記サーバ装置よりもたらされる情報を受信する第二受信部、並びに、
前記第二受信部で受信した情報を格納する第二格納部
として機能させるプログラム。
【請求項１５】
さらに、コンピュータを、前記受信部で受信した情報が前記情報格納部に格納されたか否かを識別する格納識別子を生成する格納識別子生成部としても機能させ、
前記情報識別子格納部において、前記情報識別子と前記格納識別子とをともに格納し、
前記送信部において、前記情報識別子と前記格納識別子とをともに読み出して前記サーバ装置に向けて送信する請求項１３又は請求項１４記載のプログラム。
【請求項１６】
請求項４又は請求項６記載の情報格納システムを構成するために用いられるものであって、コンピュータを、
情報を受信する受信手を識別する受信手識別子を保存する管理部、
情報を受信する受信部、
前記受信部で受信した情報を格納する情報格納部、
前記受信部で受信した情報を識別する情報識別子を生成する情報識別子生成部、
前記情報識別子生成部で生成した情報識別子を前記管理部で保存している受信手識別子とともに前記サーバ装置に向けて予め送信し、なおかつ、前記情報格納部に格納していた情報が読み取り不能となった場合、または前記情報格納部への情報の格納に失敗した場合に前記受信手識別子をサーバ装置に向けて送信する送信部、
前記送信部で受信手識別子を送信した後に前記サーバ装置よりもたらされる情報を受信する第二受信部、並びに、
前記第二受信部で受信した情報を格納する第二格納部
として機能させるプログラム。
【請求項１７】
請求項５又は請求項６記載の情報格納システムを構成するために用いられるものであって、コンピュータを、
情報を受信する受信手を識別する受信手識別子を保存する管理部、
情報及びこの情報を識別する情報識別子を受信する受信部、
前記受信部で受信した情報を格納する情報格納部、
前記情報受信部で受信した情報識別子を前記管理部で保存している受信手識別子とともに前記サーバ装置に向けて予め送信し、なおかつ、前記情報格納部に格納していた情報が読み取り不能となった場合、または前記情報格納部への情報の格納に失敗した場合に前記受信手識別子をサーバ装置に向けて送信する送信部、
前記送信部で受信手識別子を送信した後に前記サーバ装置よりもたらされる情報を受信する第二受信部、並びに、
前記第二受信部で受信した情報を格納する第二格納部
として機能させるプログラム。
【請求項１８】
さらに、コンピュータを、前記受信部で受信した情報が前記情報格納部に格納されたか否かを識別する格納識別子を生成する格納識別子生成部としても機能させ、
前記送信部において、前記情報識別子及び前記格納識別子を前記受信手識別子とともに前記サーバ装置に向けて予め送信する請求項１６又は請求項１７記載のプログラム。
【請求項１９】
請求項１又は請求項３記載の情報格納システムを構成するために用いられるものであって、
前記情報格納装置よりもたらされる情報識別子を受け付ける受付部と、
前記受付部で受け付けた情報識別子を基に識別される情報を取得する情報取得部と、
前記情報取得部で取得した情報を前記情報格納装置に向けて送信する送信部と
を具備するサーバ装置。
【請求項２０】
請求項２又は請求項３記載の情報格納システムを構成するために用いられるものであって、
前記情報格納装置よりもたらされる情報識別子を受け付ける受付部と、
前記受付部で受け付けた情報識別子を基に識別される情報を取得する情報取得部と、
前記情報取得部で取得した情報を前記情報格納装置に向けて送信する送信部と
を具備するサーバ装置。
【請求項２１】
前記受付部において、前記情報識別子と前記格納識別子とをともに受け付け、
前記情報取得部において、前記情報識別子を基に識別される情報が前記情報格納部に格納されていた情報であるかどうかを前記格納識別子を参照して判断した上で、該当の情報を取得し、
前記送信部において、前記情報取得部で取得した情報を前記情報格納装置に向けて送信する請求項１９又は請求項２０記載のサーバ装置。
【請求項２２】
請求項４又は請求項６記載の情報格納システムを構成するために用いられるものであって、
前記情報格納装置より事前にもたらされる情報識別子及び受信手識別子、並びに事後にもたらされる受信手識別子を受け付ける受付部と、
前記受付部で事前に受け付けた情報識別子と受信手識別子とを対応づけて格納する情報識別子格納部と、
前記受付部で事後に受け付けた受信手識別子に対応づけられている情報識別子を前記情報識別子格納部の内容から検索し、検索した情報識別子を基に識別される情報を取得する情報取得部と、
前記情報取得部で取得した情報を前記情報格納装置に向けて送信する送信部と
を具備するサーバ装置。
【請求項２３】
請求項５又は請求項６記載の情報格納システムを構成するために用いられるものであって、
前記情報格納装置より事前にもたらされる情報識別子及び受信手識別子、並びに事後にもたらされる受信手識別子を受け付ける受付部と、
前記受付部で事前に受け付けた情報識別子と受信手識別子とを対応づけて格納する情報識別子格納部と、
前記受付部で事後に受け付けた受信手識別子に対応づけられている情報識別子を前記情報識別子格納部の内容から検索し、検索した情報識別子を基に識別される情報を取得する情報取得部と、
前記情報取得部で取得した情報を前記情報格納装置に向けて送信する送信部と
を具備するサーバ装置。
【請求項２４】
前記受付部において、事前に前記情報識別子及び前記格納識別子を前記受信手識別子とともに受け付け、
前記情報識別子格納部において、前記情報識別子及び前記格納識別子と前記受信手識別子とを対応づけて格納し、
前記情報取得部において、前記情報識別子を基に識別される情報が前記情報格納部に格納されていた情報であるかどうかを前記格納識別子を参照して判断した上で、該当の情報を取得し、
前記送信部において、前記情報取得部で取得した情報を前記情報格納装置に向けて送信する請求項２２又は請求項２３記載のサーバ装置。
【請求項２５】
請求項１又は請求項３記載の情報格納システムを構成するために用いられるものであって、コンピュータを、
前記情報格納装置よりもたらされる情報識別子を受け付ける受付部、
前記受付部で受け付けた情報識別子を基に識別される情報を取得する情報取得部、並びに、
前記情報取得部で取得した情報を前記情報格納装置に向けて送信する送信部
として機能させるプログラム。
【請求項２６】
請求項２又は請求項３記載の情報格納システムを構成するために用いられるものであって、コンピュータを、
前記情報格納装置よりもたらされる情報識別子を受け付ける受付部、
前記受付部で受け付けた情報識別子を基に識別される情報を取得する情報取得部、並びに、
前記情報取得部で取得した情報を前記情報格納装置に向けて送信する送信部
として機能させるプログラム。
【請求項２７】
前記受付部において、前記情報識別子と前記格納識別子とをともに受け付け、
前記情報取得部において、前記情報識別子を基に識別される情報が前記情報格納部に格納されていた情報であるかどうかを前記格納識別子を参照して判断した上で、該当の情報を取得し、
前記送信部において、前記情報取得部で取得した情報を前記情報格納装置に向けて送信する請求項２５又は請求項２６記載のプログラム。
【請求項２８】
請求項４又は請求項６記載の情報格納システムを構成するために用いられるものであって、コンピュータを、
前記情報格納装置より事前にもたらされる情報識別子及び受信手識別子、並びに事後にもたらされる受信手識別子を受け付ける受付部、
前記受付部で事前に受け付けた情報識別子と受信手識別子とを対応づけて格納する情報識別子格納部、
前記受付部で事後に受け付けた受信手識別子に対応づけられている情報識別子を前記情報識別子格納部の内容から検索し、検索した情報識別子を基に識別される情報を取得する情報取得部、並びに、
前記情報取得部で取得した情報を前記情報格納装置に向けて送信する送信部
として機能させるプログラム。
【請求項２９】
請求項５又は請求項６記載の情報格納システムを構成するために用いられるものであって、コンピュータを、
前記情報格納装置より事前にもたらされる情報識別子及び受信手識別子、並びに事後にもたらされる受信手識別子を受け付ける受付部、
前記受付部で事前に受け付けた情報識別子と受信手識別子とを対応づけて格納する情報識別子格納部、
前記受付部で事後に受け付けた受信手識別子に対応づけられている情報識別子を前記情報識別子格納部の内容から検索し、検索した情報識別子を基に識別される情報を取得する情報取得部、並びに、
前記情報取得部で取得した情報を前記情報格納装置に向けて送信する送信部
として機能させるプログラム。
【請求項３０】
前記受付部において、事前に前記情報識別子及び前記格納識別子を前記受信手識別子とともに受け付け、
前記情報識別子格納部において、前記情報識別子及び前記格納識別子と前記受信手識別子とを対応づけて格納し、
前記情報取得部において、前記情報識別子を基に識別される情報が前記情報格納部に格納されていた情報であるかどうかを前記格納識別子を参照して判断した上で、該当の情報を取得し、
前記送信部において、前記情報取得部で取得した情報を前記情報格納装置に向けて送信する請求項２８又は請求項２９記載のプログラム。
【発明の詳細な説明】
【０００１】
【発明の属する技術分野】
本発明は、ＴＶ放送などの情報を受信し、格納する情報格納装置等に関する。
【０００２】
【従来の技術】
近年、デジタルＴＶ放送、及びＴＶ放送に連動した、又はＴＶ放送とは独立なデータ放送が行われ始めており、これら新しい放送形態に対応した形で、新たな受信装置が開発されつつある。この受信装置は、２つのチューナとハードディスクを利用して構成されるものであり、前記ハードディスクに放送のコンテンツ等を録画することができる。現在のところ、この受信装置の利用方法として、ハードディスクをユーザエリアとプロバイダエリアと呼ばれる２つのエリアに分割しておいて、ユーザエリアにはユーザが一方のチューナを用いて受信した放送を録画できるようにし、プロバイダエリアには他方のチャンネルが固定され、ユーザが変えることができないチューナで受信したデータ放送の内容を強制的に保存するようにして、プロバイダエリアをデータ放送の提供者に貸し出すようなビジネスが考えられている。
【０００３】
【発明が解決しようとする課題】
ところが、ハードディスクには故障のリスクが存在する。その結果、ユーザが録画したコンテンツの読み取りが不能になってしまう。又、上記ビジネスを行う場合、故障等の問題が生じた際の対応を講じておく必要がある。
【０００４】
係る不具合は、ハードディスクに限らず、他の記録媒体でもそれが単一である限り必ず生じうると考えられるところ、単純に記録を二重化するのでは、受信装置が高価かつ複雑になるおそれがある。
【０００５】
そこで本発明は、上記課題を解決し、ハードディスク等が故障した際読み取り不能になった情報、またはハードディスク等の故障や容量不足等のために書き込みに失敗した情報を容易かつ簡単に復元ないし再書き込みする手段を提供すべく、受信部で受信した情報を識別する情報識別子を生成又は受信して、その情報識別子に基づき元の情報を復元できるようにしたものである。
【０００６】
【課題を解決するための手段】
すなわち本発明に係る情報格納装置は、図１に示すように、受信部が受信した情報を情報格納部に格納し、前記情報からその情報を識別する情報識別子を情報識別子生成部で生成した上で、前記情報識別子を前記情報格納部とは分離した情報識別子格納部に格納するものである。ここで分離とは、物理的に分離、又は領域を分けて論理的に分離したものも含む。なお、情報識別子を情報識別子生成部で生成する代わりに、図２に示すように受信部で情報と情報識別子を受信してもよい。
【０００７】
このようなものであれば、情報格納部に問題が発生した場合でも、ＴＶ放送などのように元の情報が存在する場合であれば、情報識別子を手がかりに情報を復元又は再書き込みできる。また、このように情報識別子のみを格納しておけばよいので、機器的に大きな負担にならないようにすることができる。
【０００８】
媒体の故障等により読み取り不能となった情報を復元するには、前記情報識別子格納部に、受信した前記情報のうち、格納された情報を識別する情報識別子のみを格納させることが望ましい。このようにすれば、どの情報が格納されていたかが格納されている情報識別子の一覧により判別でき、復元の際にはこの一覧にある情報を読み込めばよいことになる。
【０００９】
また、媒体の故障や容量不足等により書き込みに失敗した情報の再書き込みを行うには、前段とは逆に前記情報識別子格納部に、受信した前記情報のうち、格納されていない情報を識別する情報識別子のみを格納させることが望ましい。このようにすれば、どの情報の書き込みに失敗したかが格納されている情報識別子の一覧により判別でき、再書き込みの際にはこの一覧にある情報を読み込めばよいことになる。
【００１０】
一方、前記情報が格納されたか否かを識別する格納識別子を生成する格納識別子生成部をさらに備え、生成された前記格納識別子を、前記情報識別子とともに格納するようにすれば、格納された情報と格納されていない情報とを判別できるので、一旦格納されて読み取り不能となった情報の復元および書き込みに失敗して格納されなかった情報の再書き込みを選択的に、又は同時に行うための情報を容易に提供できる。
【００１１】
格納された前記情報識別子に基づいて識別される情報を受信する第二受信部と、前記第二受信部が受信した前記情報を格納する第二情報格納部とをさらに備えるようにすれば、前記情報の復元又は再書き込みをオンラインで行うことができる。
【００１２】
また、前記情報の復元又は再書き込みを格納された前記格納識別子に従って行うようにするならば、格納されていたデータまたは格納に失敗したデータそれぞれの復元又は再書き込みを選択的に行うことができる。
【００１３】
そして、前記情報識別子又は前記情報識別子及び格納識別子を送信する送信部をさらに備えるならば、復元又は再書き込みするための情報の請求をオンラインで行うことができるようになる。この際、請求元を特定する必要があるが、そのためには前記情報を受信する受信手を識別する受信手識別子を管理する管理部をさらに備え、前記受信手識別子機能を具備させる必要がある。
【００１４】
一方、図３に示すように受信部で情報を受信し、前記情報を情報格納部に格納して、前記情報を識別する情報識別子を情報識別子生成部で生成した後、管理部で前記情報を受信する受信手を識別する受信手識別子を管理しておいて、前記情報識別子及び前記受信手識別子を送信部から送信してもよい。また、情報識別子については、図４に示すように情報識別子生成部を設ける代わりに受信部で情報識別子を受信してもよい。
【００１５】
この場合、どの情報を受信したかを受信する毎にオンラインで知らせることができる。
【００１６】
さらに、前記送信部に、受信した前記情報のうち、格納された情報を識別する情報識別子のみを送信させることで、どの情報を確実に受け取ったかを知らせることができ、逆に、格納されていない情報を識別する情報識別子のみを送信させるならば、格納失敗のエラー情報を知らせることができる。
【００１７】
加えて、前記情報が格納されたか否かを識別する格納識別子を生成する格納識別子生成部をさらに備え、生成された前記格納識別子を、前記情報識別子とともに送信するようにすれば、格納成功または失敗の双方の情報を伝えることができるようになる。
【００１８】
そして、情報を出す側において受信手側からの情報の請求に応じるためには、サーバ装置を用意し、前記情報格納装置と組み合わせて情報格納システムを組んでおいて、受付部で受信手側の情報格納装置から送信された前記情報識別子を受け付けて、情報取得部により前記情報識別子によって識別される情報を取得し、取得した情報を情報格納部に格納するようにすればよい。このようにすれば、格納したデータを別途受信手側に送付することで、受信手側からの情報の請求に応じることができる。
【００１９】
さらに、受信手側の情報格納装置でなくサーバ装置に情報識別子格納部を設けておき、前記情報識別子格納部に情報識別子を受信手識別子に対応づけて格納しておき、さらに前記サーバ装置が前記受信手識別子を受け付け、受信手識別子に対応づけて格納された前記情報識別子に基づいて識別される情報を格納する情報格納部を設けてもよい。このようにしても前記情報識別子が受信手識別子に対応づけて格納されているので、受信者ごとに情報の請求に応じることができる。
【００２０】
また、前二段のサーバ装置において、送信部を備えたものを用意してもよい。このようにした場合は、受信手側から請求があった情報をオンラインで送信することができる。
【００２１】
加えて、受付部において格納識別子も受け付け、格納識別子に従い前記情報識別子に基づいて識別される情報を格納又は送信するようにすれば、格納された情報と格納されていない情報とを判別できるので、一旦格納されて読み取り不能となった情報の復元および書き込みに失敗して格納されなかった情報の再書き込みを選択的に、又は同時に行うことを容易にできる。
【００２２】
【発明の実施の形態】
以下、本発明の第一実施形態を、図面を参照して説明する。
【００２３】
まず、本実施形態における情報格納システムＳの全体概略図を図５に示す。この情報格納システムＳは、放送局ＢＳから衛星ＳＬを経由して送信されたＢＳ／ＣＳデジタルＴＶ放送又はデータ放送のコンテンツである情報Ｉを受信する情報格納装置１とサービスセンタ等に備えられたサーバ装置２とからなる。情報格納装置１とサーバ装置２は、インターネット等のネットワークＮを介して接続されている。
【００２４】
次に、各機器について説明する。情報格納装置１は、図６に示すように、ＣＰＵ１０１、内部メモリ１０２、ＡＶ入出力インタフェース１０３、チューナ１０４ａ・１０４ｂ、ハードディスクインタフェース１０５、ハードディスク１０６、メモリカードスロット１０７、メモリカード１０８、通信インタフェース１０９、ＡＶ出力端子１１０、リモートコントローラ等の処理入力装置１１１等からなる。ハードディスク１０６に格納されたデータは、必要に応じて情報格納装置１のＡＶ出力端子１１０に接続されたＴＶディスプレイ（図示略）やスピーカ（図示略）から再生される。なお、汎用のパーソナルコンピュータ等を用いてもよい。
【００２５】
サーバ装置２は、図７に示すように、ＣＰＵ２０１、内部メモリ２０２、外部記憶装置２０３、入力装置２０４、表示装置２０５、通信インタフェース２０６等を具備し、一般的なサーバコンピュータとしての機能を有するもので、サービスセンタなどに備えてある。
【００２６】
さらに、このような機器を用いて構成される情報格納システムＳの動作機能を示した機能ブロック図を図８に示す。
【００２７】
まず、前記情報格納装置１の機能について説明すると、このものは、内部メモリ１０２等に内蔵されたプログラムによりＣＰＵ１０１等が作動し、受信部１１、情報格納部１２、情報識別子生成部１３、格納識別子生成部１５、情報識別子格納部１４、管理部１６、送信部１７、処理受付部１８、第二受信部１１ｂ、及び第二情報格納部１２ｂ等として働く。
【００２８】
一方、前記サーバ装置２の機能について説明すると、このものは、内部メモリ２０２又は外部記憶装置２０３に内蔵されたプログラムによりＣＰＵ２０１や周辺機器が作動し、受付部２１、情報取得部２２、情報格納部２４、及び送信部２５等として働く。
【００２９】
以下、前記情報格納装置１の各機能ブロックについて詳述する。
【００３０】
受信部１１は、放送局ＢＳから衛星ＳＬを経由して送信された情報Ｉを受信するためのもので、前記チューナ１０４ａ・１０４ｂを利用して構成してある。ここで、情報ＩとはＢＳ／ＣＳデジタルＴＶ放送又はデータ放送等のコンテンツをさす。
【００３１】
情報格納部１２は、受信部１１から受信された情報Ｉを受け取り、これを格納しておくためのもので、前記ハードディスク１０６の所定領域に形成してある。本実施形態では、情報格納部１２は、プロバイダエリアとユーザエリアに分割されている。ここで、ユーザエリアにはユーザがチューナ１０４ａを用いて受信した放送を録画するようにしてある。一方、プロバイダエリアにはもう１台のチューナ１０４ｂを用いて、固定されたチャンネルのデータ放送の内容を強制的に保存するようにしている。
【００３２】
情報識別子生成部１３は、情報Ｉを識別するための情報識別子Ｓ１を生成するためのものである。この情報識別子Ｓ１は、受信した日付、時刻、チャンネルなどから生成されるものであり、各情報Ｉに固有のものとして対応付けられている。情報識別子Ｓ１の例を図９に示す。
【００３３】
なお、情報格納装置１内に情報識別子生成部１３を備えておく代わりに、予め受信部１１において情報Ｉと前記情報Ｉを識別する情報識別子Ｓ１を組で受け取るようにしてもよい。この場合の機能ブロック図および情報識別子Ｓ１の例を、図１０及び図１１にそれぞれ示す。
【００３４】
情報識別子格納部１４は、前記情報識別子生成部１３により生成された、又は受信部１１が受信した情報識別子Ｓ１を受け取って格納しておくためのもので、前記メモリーカード１０８の所定領域に形成してあるを。前記情報識別子１４の格納状況の概略を図１２に示す。
【００３５】
この情報識別子格納部１４は、本実施形態では前記ハードディスク１０６を利用して構成した前記情報格納部１２からは物理的に分離されたものであって、前記メモリカード１０８を利用して構成してある。なお、分離の仕方については、前記ハードディスク１０６に複数のパーティションを設定するなどして論理的に分割し、その一部を当てる等の方法でもよい。
【００３６】
また、情報識別子格納部１４は、復元又は再書き込みをすべき情報Ｉを識別する情報識別子Ｓ１を格納するため、情報格納部１２よりも、容易に故障しない格納媒体などを用いるのが好ましい。
【００３７】
格納識別子生成部１５は、情報識別子Ｓ１により識別される各々の情報Ｉが正常に格納されているかまたは格納されていないのかを識別する機能を有する格納識別子Ｓ２を生成するためのものである。この格納識別子Ｓ２は、情報識別子Ｓ１と関連づけられているものであり、例えば１と０の２値をとる。本実施形態では、１の場合には正常に格納されている状態を表し、０の場合には正常に格納されていない状態を表すようにしている。
【００３８】
管理部１６は、送信を受け付けるサーバ装置２側で受信手を識別するための情報を提供するための受信手識別子Ｓ３を管理しておく、すなわち内部メモリ１０２等に各受信手、すなわち本実施形態では個々の情報格納装置１又はユーザに固有の受信手識別子Ｓ３を保存しておくためのものである。
【００３９】
処理受付部１８は、サーバ装置２で行う処理を選択するための処理識別子Ｓ４をユーザの指示を受け付けて生成するためのもので、処理入力装置１１１を利用して構成してある。この処理識別子Ｓ４は、格納されていた情報の復元及び格納に失敗した情報の再書き込みをそれぞれ行うかどうかの選択の結果を識別するためのものであり、本実施形態では１１、１０、０１、００の４値をとる。処理識別子Ｓ４の上１桁が１のときは格納されていた情報の復元を行い、０のときはこれを行わない。また、処理識別子Ｓ４の下１桁が１のときは格納に失敗した情報の再書き込みを行い、０のときはこれを行わない。
【００４０】
送信部１７は、前記情報識別子格納部１４から格納された情報識別子Ｓ１及び格納識別子Ｓ２を、前記管理部１６から受信手識別子Ｓ３を、前記処理受付部１８から処理識別子Ｓ４をそれぞれ受け取り、前記サーバ装置２に送信するもので、前記通信インタフェース１０９を利用して構成されている。送信内容の概略を図１３に示す。
【００４１】
第二受信部１１ｂは、後述するように、読み込み不能になった情報ないし格納に失敗した情報Ｉを復元又は再書き込みする際、前記サーバ装置２から送信された情報Ｉを受信するためのものである。また、第二情報格納部１２ｂは、第二受信部１１ｂで受信した情報Ｉを格納するためのものである。本実施形態では、第二受信部１１ｂ及び第二情報格納部１２ｂは、それぞれ受信部１１及び情報格納部１２とは別のものであるが、同一のものであってもよい。
【００４２】
次いで前記サーバ装置２の各機能ブロックについて詳述する。
【００４３】
受付部２１は、前記情報格納装置１から送信された情報識別子Ｓ１、格納識別子Ｓ２、及び受信手識別子Ｓ３を受け付ける、すなわち受信するものであり、通信インタフェース２０６を利用して構成されているものである。
【００４４】
情報取得部２２は、受け付けた情報識別子Ｓ１によって識別される情報Ｉを、例えば放送局ＢＳからネットワークを介して取得するためのものである。なお、図示はしないが、放送局ＢＳとサーバ装置２はネットワークＮを介して接続されている。
【００４５】
情報格納部２４は、情報取得部２２が取得した情報Ｉを格納しておくためのものであり、前記外部記憶装置２０３を利用して構成されているものである。
【００４６】
なお、情報格納部２４は、前記情報格納部１２と、同種類の格納媒体等であれば、これらを容易に置き換えることが可能となる。
【００４７】
送信部２５は、情報取得部２２が取得した情報Ｉを前記受付部２１が受信した受信手識別子Ｓ３に基づいて識別される受信手、具体的には前記情報格納装置１の第二受信部１１ｂに送信するためのものである。
【００４８】
なお、前記受信手は、必ずしも前記情報格納装置１と同一である必要はなく、別の情報格納装置であってもよい。この場合は、前記受信手識別子Ｓ３は、ユーザを識別するものとなる。
【００４９】
前記情報格納装置１側において、この情報Ｉを前記情報格納装置１の情報識別子格納部１４に格納された情報識別子Ｓ１に基づいて識別できるようにして、前記第二受信部１１ｂで受信し、前記第二情報格納部１２ｂに格納するようにすれば、情報Ｉの復元又は再書き込みをオンラインで行うことができる。
【００５０】
以下、情報システムＳの動作の説明を行う。また、フローチャートを図１４〜図１７に示す。
【００５１】
まず、図１４に示すように、情報格納装置１側において、チューナ１０４ａ・１０４ｂ（受信部１１）で情報Ｉを受信する（受信ステップＳＴ１）。次いで、チャンネルが固定されたチューナ１０４ｂで受信した情報Ｉを強制的に情報格納部１２のプロバイダエリアに格納し、またはもう１つのチューナ１０４ａで受信した情報Ｉを必要に応じて情報格納部１２のユーザエリアに格納する（格納ステップＳＴ２）。一方、受信した情報Ｉを識別する情報識別子Ｓ１を情報識別子生成部１３で受信した日付、時刻、チャンネルなどから生成し（情報識別子生成ステップＳＴ３）、情報格納装置１内の情報識別子格納部１４に保存する（情報識別子格納ステップＳＴ４）。また、どの情報Ｉを格納または格納失敗したかについて、格納識別子Ｓ２を生成し（ステップＳＴ５）、これも情報識別子格納部１４に保存する（ステップＳＴ６）。
【００５２】
なお、図１０の情報格納装置１及びサーバ装置２を用いた場合は、前記情報識別子生成ステップＳＴ３を省略し、その代わりに受信ステップＳＴ１で情報識別子Ｓ１も受信する。
【００５３】
ハードディスクの故障又は容量不足等の問題が発生したときには、図１５のフローチャートに示すように、送信部１７が情報識別子格納部１４から、情報識別子Ｓ１及び格納識別子Ｓ２を読み込み（ステップＳＴ７）、また管理部１６から受信手識別子Ｓ３を読み込む（ステップＳＴ８）。そして、例えば一例として図１６に示す処理選択画面を情報格納装置１に接続したＴＶディスプレイ（図示略）に表示し（ステップＳＴ９）、処理受付部１８が、ユーザの指示を、例えば処理入力装置１１１を通して処理選択画面のカーソル（図１６では下線及び記号＞で表現）を移動させて、行う処理を画面上で選択させることにより受け付ける（ステップＳＴ１０）。そして、ユーザの指示に基づき処理受付部１８が処理識別子Ｓ４を生成し（ステップＳＴ１１）、サービスセンタに備え付けたサーバ装置２に送信する（ステップＳＴ１２）。
【００５４】
一方、サービスセンタに備えた前記サーバ装置２側においては、図１７のフローチャートに示すように、受付部２１が前記情報識別子格納部１４の内容に対応する情報を受け付け（ステップＳＴ１３）、格納識別子Ｓ２に従って格納されていた情報Ｉかどうかを判断（ステップＳＴ１４）した上で、格納されていた情報Ｉの復元について処理識別子Ｓ４を参照し（ステップＳＴ１５）、情報Ｉの復元が必要であれば、すなわち処理識別子Ｓ４の上１桁が１（処理識別子Ｓ４が１１または１０）であれば、情報識別子Ｓ１によって識別される情報ＩをネットワークＮを介して取得し（ステップＳＴ１７）、前記情報Ｉを情報格納部２４に格納する（ステップＳＴ１８）。また、格納に失敗した情報Ｉの再書き込みについて処理識別子Ｓ４を参照し（ステップＳＴ１６）、再書き込みが必要であれば、すなわち処理識別子Ｓ４の下１桁が１（処理識別子Ｓ４が１１または０１）であれば、情報識別子Ｓ１によって識別される情報ＩをネットワークＮを介して取得し（ステップＳＴ１７）、前記情報Ｉを情報格納部２４に格納する（ステップＳＴ１８）。それから、情報格納部２４の内容である情報Ｉを送信部２５から情報格納装置１内の第二受信部１１ｂに送信する（ステップＳＴ１９）。送信すべき情報Ｉが残っていないか確認し（ステップＳＴ２０）、もしあればステップＳＴ１３に戻って新たな情報識別子Ｓ１を受け付け処理を繰り返す。
【００５５】
そして、情報格納装置１内の第二受信部１１ｂが前記情報Ｉを受信し、受信した情報Ｉを第二情報格納部１２ｂに格納することで、情報格納部１２の内容が復元される。
【００５６】
以上、本実施形態によれば、ハードディスク１０６の故障や容量不足等、情報格納部１２に異常が発生して、情報Ｉの読み出しができなくなったり書き込みに失敗したりした場合の、情報Ｉの復元又は再書き込みができる。しかも、放送局ＢＳに情報Ｉが存在しているので、復元などのためには情報識別子Ｓ１のみをバックアップしておけばよい。
【００５７】
前段で述べた効果は、情報識別子生成部１３で情報識別子Ｓ１を生成する代わりに、受信部１１において情報識別子Ｓ１を情報Ｉとともに受信するようにしても、同様の効果が得られる。
【００５８】
また、前記情報格納装置１に格納識別子生成部１５を別に設け、格納識別子Ｓ２を情報識別子Ｓ１とともに格納するようにしたので、格納された情報Ｉと格納に失敗した情報Ｉの区別を容易に行うことができる。なお、本実施形態では、格納識別子Ｓ２を利用して格納された情報を識別する情報識別子Ｓ１及び格納されていない情報を識別する情報識別子Ｓ１の両方を前記情報識別子格納部１４に格納するようにしていたが、情報識別子格納部１４に、格納された情報Ｉまたは格納されていない情報Ｉを識別する情報識別子Ｓ１のみを格納することにしてもよい。この場合は、格納識別子Ｓ２及び格納識別子生成部１５は省略できる。このようにした場合にも、格納された情報Ｉの復元または書き込みに失敗した情報Ｉの再書き込みをそれぞれ選択的に行うことができる。
【００５９】
また、本実施形態では前記情報格納装置１側に、前記情報識別子Ｓ１又は前記情報識別子Ｓ１及び格納識別子Ｓ２と、前記情報Ｉを受信する受信手を識別する受信手識別子Ｓ３をサーバ装置２に送信する送信部１７及び前記受信手識別子Ｓ３を管理する管理部１６をさらに設け、サーバ装置２側には送信された情報識別子Ｓ１及び格納識別子Ｓ２を受け付ける受付部２１と、格納識別子Ｓ２を参照し、前記情報識別子Ｓ１によって識別される情報を取得する情報取得部２２と、取得した情報Ｉを格納する情報格納部２４と、送信部２５を設けた。そして送信部２５から送信された情報Ｉは前記情報格納装置１側の第二受信部１１ｂが受信し、第二受信部１１ｂが受信した前記情報Ｉは第二情報格納部１２ｂに格納するようにした。
【００６０】
このような構成により、読み込み不能になった情報Ｉの復元又は格納に失敗した情報Ｉの再書き込み等の請求をオンラインで行うことができ、自動的に受信手、すなわちここでは請求元である個々の前記情報格納装置１を特定する情報である受信手識別子Ｓ３がサーバ装置２側に送信され、サーバ装置２側では、受け付けた情報識別子Ｓ１及び格納識別子Ｓ２に従い、情報Ｉを格納されていたものか否か判別した上で取得して格納し、さらにオンラインで受信手に送信し、前記情報格納装置１側ではオンラインで情報Ｉを受信し、自動的に格納できるので、請求の手続き及び復元又は再書き込みする情報Ｉの受信が容易になり、ユーザの便に資することができる。
【００６１】
なお、前記管理部１６を省略して例えば受信手ＩＤを手動で入力する等、別の方法で受信手を特定する情報を送信するようにしてもよい。また、格納識別子Ｓ２を利用した格納されていた情報Ｉか否かの判別は、行わないようにしてもよい。さらに、送信部２５を省略して、例えば情報格納部２４の内容を新品のハードディスクに保存して個々の前記情報格納装置１のユーザに郵送し、このハードディスクを情報格納装置１に取り付けるようにする等、オンライン送信以外の方法で情報Ｉの復元又は再書き込みを行うようにしてもよいし、情報格納部２４を用意せずに、情報Ｉを直接送信してもよい。そして、前記送信部１７を省略して例えば情報識別子格納部１４を構成するメモリカード１０８をサービスセンタに郵送する等、別の方法で請求を行うようにしてもよい。
【００６２】
また、ここまでは前記情報格納装置１に情報識別子格納部１４を設けた場合について示してきたが、第二実施形態として、前記サーバ装置２側に情報識別子格納部２３を設けてもよい。この実施形態について図面を参照して述べる。
【００６３】
この第二実施形態では、機器的には前記第一実施形態と同様であるので、その説明は省略する。そこで、まず情報格納システムＳの各機能ブロックについて図１８に示して説明する。
【００６４】
まず、前記情報格納装置１の機能について説明すると、このものは、内部メモリ１０２等に内蔵されたプログラムによりＣＰＵ１０１等が作動し、受信部１１、情報格納部１２、情報識別子生成部１３、格納識別子生成部１５、管理部１６、送信部１７、処理受付部１８、第二受信部１１ｂ、及び第二情報格納部１２ｂ等として働く。
【００６５】
一方、前記サーバ装置２の機能について説明すると、このものは、内部メモリ２０２又は外部記憶装置２０３に内蔵されたプログラムによりＣＰＵ２０１や周辺機器が作動し、受付部２１、情報識別子格納部２３、情報取得部２２、情報格納部２４、及び送信部２５等として働く。
【００６６】
以下、前記情報格納装置１の各機能ブロックについて詳述するが、情報格納装置１では、受信部１１、情報格納部１２、情報識別子生成部１３、格納識別子生成部１５、管理部１６、処理受付部１８、第二受信部１１ｂ、第二情報格納部１２ｂは第一実施形態のものと全く同様の機能を果たすようにしてあるので説明については省略する。
【００６７】
なお、情報格納装置１内に情報識別子生成部１３を備えておく代わりに、予め受信部１１において情報Ｉと前記情報Ｉを識別する情報識別子Ｓ１を組で受け取るようにしてもよい。この場合の機能ブロック図を、図１９に示す。
【００６８】
送信部１７は、情報Ｉを受信する毎に前記情報識別子生成部１３または受信部１１からは情報識別子Ｓ１、格納識別子生成部１５からは格納識別子Ｓ２、前記管理部１６から受信手識別子Ｓ３をそれぞれ受け取り、サーバ装置２に送信するためのものであり、前記通信インタフェース１０９を利用して構成されている。
【００６９】
また、ハードディスクの故障又は容量不足等の問題が発生したときには、サーバ装置２で行う処理を選択するための処理識別子Ｓ４と前記受信手識別子Ｓ３のみを送信部１７から送信する。
【００７０】
次いで前記サーバ装置２の各機能ブロックについて詳述する。
【００７１】
受付部２１は、受信手が情報Ｉを受信する毎に情報識別子Ｓ１、格納識別子Ｓ２、及び受信手識別子Ｓ３を受け付け、または情報格納装置１２の故障又は容量不足等の問題が発生したときに、前記受信手識別子Ｓ３及び処理識別子Ｓ４を受け付けるためのものであり、前記第一実施形態と同様に通信インタフェース２０６を利用して構成されているものである。
【００７２】
情報識別子格納部２３は受付部２１が受け付けた情報識別子Ｓ１及び格納識別子Ｓ２を保存するためのものである。保存された情報識別子Ｓ１及び格納識別子Ｓ２は、受信手識別子Ｓ３に関連づけられている。
【００７３】
情報取得部２２は、前記情報識別子格納部２３へ受信手識別子Ｓ３に関連づけられて保存された情報識別子Ｓ１を前記情報識別子格納部２３の格納内容中から検索し、その結果検索された情報識別子Ｓ１によって識別される情報Ｉを、第一実施形態と同様に例えばネットワークＮ上で検索して取得するためのものである。
【００７４】
以下、情報格納部２４および送信部２５は第一実施形態のものと全く同様の機能を果たすようにしてあるので説明については省略する。
【００７５】
次に、情報システムＳの動作の説明を行う。また、フローチャートを図２０〜図２２に示す。
【００７６】
情報格納装置１側において、情報Ｉを受信してから（ステップＳＴ１）情報Ｉを情報格納部１２に格納し（ステップＳＴ２）、さらに情報識別子Ｓ１を情報識別子生成部１３で生成し（ステップＳＴ３）、また格納識別子Ｓ２を格納識別子生成部１５で生成する（ステップＳＴ５）までのステップは、第一実施形態と同様である。次に、送信部１７は、管理部１６から受信手識別子Ｓ３を受け取った上で（ステップＳＴ２１）、受信した情報Ｉに対応する情報識別子Ｓ１と格納識別子Ｓ２を受信手識別子Ｓ３とともにサービスセンタに備え付けたサーバ装置２に逐次送信する（ステップＳＴ２２）。
【００７７】
一方、サーバ装置２側では、図２１に示すように送信部１７から送信された情報識別子Ｓ１などを受付部２１で受け付けて（ステップＳＴ２３）から、受信手識別子Ｓ３に関連づけてこれらを情報識別子格納部２３に保存する（ステップＳＴ２４）。
【００７８】
そして、ハードディスクの故障又は容量不足等の問題が発生したときには、情報格納装置１側では、一例として、第一実施形態と同様に、図１６の画面を情報格納装置１に接続したＴＶディスプレイ（図示略）に表示し（ステップＳＴ９）、処理受付部１８がユーザの指示を受け付ける（ステップＳＴ１０）。そして、ユーザの指示に基づき処理受付部１８が処理識別子Ｓ４を生成し（ステップＳＴ１１）、管理部１６からは受信手識別子Ｓ３を受け取ってともに送信する（ステップＳＴ１２）。サーバ装置側２では、図２２のフローチャートに流れが示されているように、受信手識別子Ｓ３及び処理識別子Ｓ４を受け付け（ステップＳＴ２５）、情報識別子格納部２３に受信手識別子Ｓ３に対応づけられて保存してある情報識別子Ｓ１を情報識別子格納部２３の内容から検索する（ステップＳＴ２６）。その後は第一実施形態のステップＳＴ１４以降と同様であるが、送信すべき情報Ｉが残っているか確認（ステップＳＴ２０）した段階で、もし送信すべき情報Ｉが残っていればステップＳＴ２５に戻る。
【００７９】
以上、第一実施形態において情報識別子Ｓ１及び格納識別子Ｓ２を情報識別子格納部１４に格納するような情報格納装置１を用いたのに代え、本実施形態では受信手識別子Ｓ３を管理する管理部１６及び情報識別子Ｓ１、格納識別子Ｓ２、及び受信手識別子Ｓ３を送信する送信部１７をも必ず設けた情報格納装置１を用い、サーバ装置２側に情報識別子格納部２３を設けたが、第一実施形態で述べたのと同様の効果はすべて得られる。加えて、情報格納装置１から情報識別子格納部１４を省略できるので情報格納装置１を安価なものにできる。さらに、情報識別子Ｓ１及び格納識別子Ｓ２をサービスセンタで集中的に管理できる効果も得られる。
【００８０】
なお、情報格納装置１から前記送信部１７を省略して、情報Ｉの復元又は格納に失敗した情報Ｉの再書き込み等の請求を郵送又は電話等で行うようにしても、サーバ装置２に情報識別子格納部２３、情報取得部２２、情報格納部２４、送信部２５が設けてあれば、請求された情報Ｉに対応する情報識別子Ｓ１を情報識別子格納部２３から読み出し、以下前記情報識別子Ｓ１に基づき情報取得部２２で情報Ｉを取得して、取得した情報Ｉを情報格納部２４に格納し、格納した情報Ｉを送信部２５から送信することができる。さらに、受信手識別子Ｓ３を手入力等で受け付ける受付部２１も設けてあれば、送信先の受信手の特定を前記受信手識別子Ｓ３によって容易にできる。もちろん、情報格納部２４を省略して情報Ｉを直接送信部２５から送信してもよいし、送信部２５を省略して、例えば情報格納部２４の内容を新品のハードディスクに保存して個々の前記情報格納装置１のユーザに郵送し、このハードディスクを情報格納装置１に取り付けるようにする等、オンライン送信以外の方法で情報Ｉの復元又は再書き込みを行うようにしてもよい。
【００８１】
なお、本発明は前記各実施形態に限られるものではない。例えば、情報Ｉは、ＢＳ／ＣＳデジタルＴＶ放送又はデータ放送等衛星ＳＬにより送信されるものでなく、有線ケーブルや一般の地上波等を用いて送信されるものでもよい。また、前記情報格納装置１内の前記情報格納部１２は、ハードディスク１０６以外の記憶媒体を用いてもよい。情報格納装置１のチューナ１０４ａ・１０４ｂは２つである必要はなく、チューナ１０４ｂのチャンネルを固定しておく必要もない。さらに、受信した情報Ｉを強制的に情報格納部１２に保存する必要もない。そして、情報格納部１２のプロバイダエリア、ユーザエリアの区別をする必要はない。
【００８２】
さらに、より一般に、格納した情報Ｉの履歴を記録する手段としての使用例としては、例えば情報格納装置１内又はサーバ装置２内の情報識別子格納部１４（又は２３）に有料情報に対応した情報識別子が格納されたことが記録されている場合は格納された情報Ｉに応じて課金することや、有料情報のバックアップサービスとして、ハードディスク１０６が故障する等情報格納部１２に問題が発生した場合に、同様に対応する情報識別子Ｓ１、格納識別子Ｓ２及び受信手識別子Ｓ３をサービスセンタのサーバ装置２に送信することで情報格納部１２の内容の復元に関する依頼を受け付けることも考え得る。または、有料情報以外に対しても、同様のバックアップサービスを行うことも考え得る。
【００８３】
【発明の効果】
本発明は、以上のように構成したため、ハードディスクが故障した際にもともと格納されていたが読み取り不能になった情報、または媒体の容量不足等によって書き込みに失敗して格納されなかった情報等をハードウェアに大きな負担を掛けることなく復元することが可能になる。
【図面の簡単な説明】
【図１】請求項１に係る発明のブロック図
【図２】請求項２に係る発明のブロック図
【図３】請求項１０に係る発明のブロック図
【図４】請求項１１に係る発明のブロック図
【図５】第一実施形態における全体構成図
【図６】同実施形態における情報格納装置の内部構成図
【図７】同実施形態におけるサーバ装置の内部構成図
【図８】同実施形態における情報格納システムの機能ブロック図
【図９】同実施形態における情報識別子の例示図
【図１０】第一実施形態の変形である一実施形態の機能ブロック図
【図１１】同実施形態における情報識別子の例示図
【図１２】第一実施形態における情報識別子格納部の格納内容の概略図
【図１３】同実施形態における情報格納装置からの送信内容の概略図
【図１４】同実施形態における情報格納装置の情報受信フローチャート
【図１５】同実施形態における情報格納装置の情報識別子等送信フローチャート
【図１６】同実施形態における情報復元・再書き込み処理の選択画面の例示図
【図１７】同実施形態におけるサーバ装置の情報識別子受け付け・情報取得フローチャート
【図１８】第二実施形態における情報格納システムの機能ブロック図
【図１９】第二実施形態の変形である一実施形態の機能ブロック図
【図２０】第二実施形態における情報格納装置の情報受信フローチャート
【図２１】同実施形態における情報格納装置の情報識別子等送信フローチャート
【図２２】同実施形態における情報格納装置の受信手識別子受け付け・情報取得フローチャート
【符号の説明】
Ｓ…情報格納システム
１…情報格納装置
１１…受信部
１１ｂ…第二受信部
１２…情報格納部
１２ｂ…第二情報格納部
１３…情報識別子生成部
１４…情報識別子格納部
１５…格納識別子生成部
１６…管理部
１７…送信部
２…サーバ装置
２１…受付部
２２…情報取得部
２３…情報識別子格納部
２４…情報格納部
２５…送信部
Ｉ…情報
Ｓ１…情報識別子
Ｓ２…格納識別子
Ｓ３…受信手識別子
【図１】
0003857084.tif 000002
【図２】
0003857084.tif 000003
【図３】
0003857084.tif 000004
【図４】
0003857084.tif 000005
【図５】
0003857084.tif 000006
【図６】
0003857084.tif 000007
【図７】
0003857084.tif 000008
【図８】
0003857084.tif 000009
【図９】
0003857084.tif 000010
【図１０】
0003857084.tif 000011
【図１１】
0003857084.tif 000012
【図１２】
0003857084.tif 000013
【図１３】
0003857084.tif 000014
【図１４】
0003857084.tif 000015
【図１５】
0003857084.tif 000016
【図１６】
0003857084.tif 000017
【図１７】
0003857084.tif 000018
【図１８】
0003857084.tif 000019
【図１９】
0003857084.tif 000020
【図２０】
0003857084.tif 000021
【図２１】
0003857084.tif 000022
【図２２】
0003857084.tif 000023